(57)【要約】      （修正有）【課題】雨等の吹き込みを防止することが可能であり、かつ、十分な防犯性能を有するルーバー付障子を安価に提供する。【解決手段】引き違いで開閉する障子が配設された窓の支持枠に用いられるルーバー付障子は、縦枠体８０を形成する２本の縦枠部材８２間に掛け渡す配置で高さ方向に所要間隔をあけてルーバー板９０が取り付けられていると共に、ルーバー板９０の室外側において、２本の縦枠部材８２間に掛け渡された水平材９２が高さ方向に所要間隔をあけて取り付けられている。【選択図】図２
0003171388.tif 000002
【実用新案登録請求の範囲】
【請求項１】
引き違いで開閉する障子が配設された窓の支持枠に用いられるルーバー付障子であって、
前記ルーバー付障子の縦枠体を形成する２本の縦枠部材間に掛け渡す配置で高さ方向に所要間隔をあけてルーバー板が取り付けられていると共に、
前記ルーバー板の室外側において、前記２本の縦枠部材間に掛け渡された水平材が高さ方向に所要間隔をあけて取り付けられていることを特徴とするルーバー付障子。
【請求項２】
前記縦枠部材は２つのアングル材により形成されていて、
前記ルーバー板は一方のアングル材における一方の辺に取り付けられ、前記水平材は前記一方のアングル材の他方の辺に取り付けられていて、
前記一方のアングル材の外側から他方のアングル材を被せて断面形状がコの字形をなすように一体に接合することにより前記縦枠部材が形成されていることを特徴とする請求項１記載のルーバー付障子。
【請求項３】
前記縦枠部材に連結可能な２本のチャンネル材と、当該２本のチャンネル材に掛け渡されるチャンネル接続部材と、を組み立てることにより高さ調整部が形成されていて、
前記チャンネル材の室内側フランジ部には前記縦枠部材に対する前記高さ調整部の連結位置を調整するための調整用長孔が穿設され、
該調整用長孔を所要位置で貫通すると共に前記縦枠部材の一部に貫通させて固定された締結材により前記縦枠部材に対する前記高さ調整部の連結位置が調整および維持可能に設けられていることを特徴とする請求項２記載のルーバー付障子。
【請求項４】
前記高さ調整部には、室外面側における開口部を遮蔽するための遮蔽板が取り付けられていて、
該遮蔽板は前記縦枠部材に対する前記高さ調整部の装着高さ位置にかかわらず、少なくとも最上部に位置する前記ルーバー板の一部と重複するように設けられていることを特徴とする請求項３記載のルーバー付障子。
【請求項５】
前記ルーバー板の下端縁側における所要高さ範囲部分は、前記ルーバー板の下端縁側に向って前記一方のアングル材における一方の辺との取付部から徐々に室外側に離反する離反部に形成されていて、
前記窓の支持枠を正面視した際に、隣接する上側のルーバー板における前記離反部と下側のルーバー板における前記取付部とが高さ方向において一部重複する配置に設けられていることを特徴とする請求項４記載のルーバー付障子。
【請求項６】
前記ルーバー板の前記一方のアングル材における一方の辺との取り付け部分における平面と前記離反部とにより形成される角度が１５５°であることを特徴とする請求項５記載のルーバー付障子。
【考案の詳細な説明】
【技術分野】
【０００１】
本考案は、室内への通気を確保しつつも室内への雨の吹き込みを防止することが可能なルーバー付障子に関する。
【背景技術】
【０００２】
室内と室外との間で空気のみを窓部分から流通させようとする際には、網戸が広く用いられている。このように網戸を用いることにより、室内と室外との間での通気を確保しつつも室外から室内への虫等の侵入を防止することができる。
網戸が主に用いられる夏場においては、建物の上層階が屋根からの熱により室温が上昇しすぎてしまうため、上層階の窓は網戸にしたままの状態になっていることが多い。このような状態において不意に雨が降ると、風の状態によっては、雨が網戸から室内に吹き込んでしまい、室内が濡れてしまうことがあるといった不具合が問題になっていた。
【０００３】
このような問題点を鑑み、網戸からの雨の吹き込みを防ぐための吹き込み防止策が施された網戸がいくつか提案されている。このような網戸の構成としては、例えば特許文献１や特許文献２に開示されているようなものが知られている。
【先行技術文献】
【特許文献】
【０００４】
【特許文献１】実開平６−８２３９４号公報
【特許文献２】特開平１０−１８２４６号公報
【考案の概要】
【考案が解決しようとする課題】
【０００５】
特許文献１には、網戸の外側に複数の傾斜板を取り付けた構成が開示されている。具体的には、下向きに拡角させた状態で網戸の枠板に傾斜板を固定することで、雨等の吹き込みを防止することを可能にした網戸の構成が開示されている。
また、特許文献２には、網戸の外枠の外側に着脱可能な枠材の外面に、下向きに拡角させた状態の複数の雨よけ材を配設した網戸用雨よけ具の構成が開示されている。
【０００６】
これらのように特許文献１および特許文献２には、何れも網戸自体にいわゆるルーバー板と呼ばれる傾斜板を所定の状態で取り付けすることで網戸からの雨の吹き込みを防止する構成が開示されている。
しかしながらこれら特許文献１および特許文献２における構成では、網戸そのものに対するルーバー板の取り付け加工が必要になるため煩雑であり、網戸へのルーバー板の取り付け加工費用が高騰し、吹き込み防止を可能にした網戸を低コストで提供することが困難であるという課題がある。
また、網戸にルーバー板を取り付けただけであるため、防犯上の理由により１階部分には使用することができないといった課題もある。
【０００７】
そこで本考案は、雨等の吹き込みを防止することが可能であり、かつ、十分な防犯性能を有するルーバー付障子を安価に提供することを目的としている。
【課題を解決するための手段】
【０００８】
上記課題を解決するために本考案者は鋭意研究を行った結果、以下の構成に想到した。
すなわち、引き違いで開閉する障子が配設された窓の支持枠に用いられるルーバー付障子であって、前記ルーバー付障子の縦枠体を形成する２本の縦枠部材間に掛け渡す配置で高さ方向に所要間隔をあけてルーバー板が取り付けられていると共に、前記ルーバー板の室外側において、前記２本の縦枠部材間に掛け渡された水平材が高さ方向に所要間隔をあけて取り付けられていることを特徴とするルーバー付障子である。
【０００９】
また、前記縦枠部材は２つのアングル材により形成されていて、前記ルーバー板は一方のアングル材における一方の辺に取り付けられ、前記水平材は前記一方のアングル材の他方の辺に取り付けられていて、前記一方のアングル材の外側から他方のアングル材を被せて断面形状がコの字形をなすように一体に接合することにより前記縦枠部材が形成されていることを特徴とする。これにより、縦枠部材へのルーバー板および水平材の取り付け作業が容易になると共に、組立後における縦枠部材を十分な頑丈さで形成することができる。
【００１０】
また、前記縦枠部材に連結可能な２本のチャンネル材と、当該２本のチャンネル材に掛け渡されるチャンネル接続部材と、を組み立てることにより高さ調整部が形成されていて、前記チャンネル材の室内側フランジ部には前記縦枠部材に対する前記高さ調整部の連結位置を調整するための調整用長孔が穿設され、該調整用長孔を所要位置で貫通すると共に前記縦枠部材の一部に貫通させて固定された締結材により前記縦枠部材に対する前記高さ調整部の連結位置が調整および維持可能に設けられていることを特徴とする。これにより、ルーバー付障子の高さ寸法の微調整をすることができ、窓の支持枠の高さ寸法に合わせたルーバー付障子を取り付けすることができる。
【００１１】
また、前記高さ調整部には、室外面側における開口部を遮蔽するための遮蔽板が取り付けられていて、該遮蔽板は前記縦枠部材に対する前記高さ調整部の装着高さ位置にかかわらず、少なくとも最上部に位置する前記ルーバー板の一部と重複するように設けられていることを特徴とする。これにより、ルーバー付障子の高さ調節をした場合であっても、室外から室内への雨の侵入を確実に防ぐことができる。
【００１２】
また、前記ルーバー板の下端縁側における所要高さ範囲部分は、前記ルーバー板の下端縁側に向って前記一方のアングル材における一方の辺との取付部から徐々に室外側に離反する離反部に形成されていて、前記窓の支持枠を正面視した際に、隣接する上側のルーバー板における前記離反部と下側のルーバー板における前記取付部とが高さ方向において一部重複する配置に設けられていることを特徴とする。
また、前記ルーバー板の前記一方のアングル材における一方の辺との取り付け部分における平面と前記離反部とにより形成される角度が１５５°であることを特徴とする。
これらの構成を具備するルーバー付障子は、風の通過は許容しつつ、より確実に室外側から室内への雨の侵入を防ぐことができる。
【考案の効果】
【００１３】
本考案によれば、雨等の吹き込みを防止することが可能であり、かつ、十分な防犯性能を有するルーバー付障子を安価に提供することが可能になる。
【図面の簡単な説明】
【００１４】
【図１】本実施形態におけるルーバー付障子を装着した状態の窓の支持枠を室内側から臨んだ正面図である。
【図２】本実施形態におけるルーバー付障子を室外側面から臨んだ正面図である。
【図３】本実施形態におけるルーバー付障子を室内側面から臨んだ正面図である。
【図４】高さ調整部の斜視図である。
【図５】縦枠部材の構造を示す斜視図である。
【図６】ルーバー板と水平材の取り付け状態を示す室外側からの拡大斜視図である。
【図７】図６中のＡ−Ａ線における断面図である。
【図８】本実施形態におけるルーバー付障子の下端部分を室外側から臨んだ正面図である。
【図９】図８中のＢ−Ｂ線における断面図である。
【考案を実施するための形態】
【００１５】
以下、本考案にかかるルーバー付障子の実施形態について図面に基づいて説明する。
図１に示すように本実施形態にかかるルーバー付障子１００は、引き違いで開閉可能な室外側障子１０および室内側障子２０と、網戸３０が組み込まれている窓の支持枠５０に取り付けて用いられる。支持枠５０には室外側から室内側に網戸３０、室外側障子１０、ルーバー付障子１００、室内側障子２０の順に取り付けられており、何れも支持枠５０に着脱自在である。本実施形態にかかるルーバー付障子１００は、室外側障子１０がスライドする障子用レールと同じ障子用レールに配設されている。
室外側障子１０、室内側障子２０、網戸３０、支持枠５０の構成はそれぞれ公知であるので、ここでは室外側障子１０、室内側障子２０、網戸３０、支持枠５０の詳細な構成についての説明は省略する。
【００１６】
ルーバー付障子１００は、図１，図２，図３のそれぞれに示すように、支持枠５０の上横枠に形成された図示しない障子用レールに沿ってスライド自在に設けられた上横枠体としての高さ調整部６０と、支持枠５０の下横枠に形成された図示しない障子用レールに沿ってスライド自在に設けられた下横枠体７０と、高さ調整部６０と下横枠体７０とをそれぞれ連結し、ルーバー付障子１００の縦枠体８０を構成する２本の縦枠部材８２と、２本の縦枠部材８２間に掛け渡すようにして取り付けられたルーバー板９０および水平材９２と、を有している。
なお図２以降には示されていないが、室外障子１０とルーバー付障子１００の外周枠のいずれかの室内側の面にストッパ９８を装着しておけば、ルーバー付障子１００部分で室外と室内を連通させるようにした状態であっても外障子１０、内障子２０、ルーバー付障子１００を固定させることができる。このようなストッパ９８は市販の製品を採用することができる。ここではストッパ９８の詳細な構造についての説明は省略する。
【００１７】
高さ調整部６０は図４に示すように、ルーバー付障子１００における縦枠部材８２に連結可能な上側縦枠部材としての２本のチャンネル材６４と、２本のチャンネル材６４間に掛け渡される上側横枠部材としてのチャンネル接続部材６２とを組み立てることにより形成されている。本実施形態におけるチャンネル接続部材６２は、アルミ合金製のチャンネル材からなる。チャンネル接続部材６２とチャンネル材６４とはビス留め等により一体に組み立てられている。チャンネル接続部材６２の上面には窓の支持枠５０のガイドレールに沿わせるためのガイド部６２Ａが取り付けられている。また、高さ調整部６０の上側角部には合成樹脂製の保護カバー６１が接着等により装着されている。
【００１８】
高さ調整部６０のチャンネル材６４の室内側に位置するフランジ部には、チャンネル材６４の延長方向にのびる調整用長孔６５が穿設されており、高さ調整部６０は、後述する縦枠部材８２へのチャンネル材６４の連結位置をネジ等の締結具Ｎを用いて調整することで、ルーバー付障子１００の高さ寸法の調整を可能にしている。
また、チャンネル接続部材６２の室外側に位置するフランジ部には、後述するルーバー板９０と同じ材料で形成された遮蔽板６３が取り付けられている。遮蔽板６３はビス留め等により取り付けすることができる。遮蔽板６３は、高さ調整部６０の高さ方向において上側半分程度の高さ範囲を遮蔽するようにして設けられている。このような遮蔽板６３を採用することで、高さ調整部６０の装着高さ位置にかかわらず、少なくとも最上部に位置するルーバー板９０の一部と重複させることができる。
【００１９】
ルーバー付障子１００の縦枠材を構成する縦枠部材８２は、図５に示すように２枚のアングル材８４，８５により形成されている。
一方のアングル材８４の一方の辺（短辺）８４Ａには、ルーバー板９０が取り付けられている。ルーバー板９０は接着等の公知の方法により取り付けることができる。また、一方のアングル材８４の他方の辺（長辺）８４Ｂには水平材９２がビス留めにより取り付けられている。なお、図示しないがビス留めは他方の辺８４Ｂの外側面から他方の辺８４Ｂを貫通させて水平材９２の側端面に固定させている。
【００２０】
ルーバー板９０および水平材９２は、それぞれの他端部側も一端部側と同様にして一方のアングル材８４に取り付けられる。このようにルーバー板９０および水平材９２は、２本の縦枠部材８２（一方のアングル材８４)間を掛け渡すようにして配設されている。
ルーバー板９０および水平材９２は、縦枠部材８２（一方のアングル材８４）の高さ方向に所要間隔をあけて取り付けられている。本実施形態においては上下に隣接する水平材９２，９２，・・・どうしの内側面間の離間距離を５０ｍｍとしたが、この配設寸法に限定されるものではない。要は防犯上の観点から、水平材９２の配設間隔部分から手を通すことができない程度の配設寸法で水平材９２が取り付けられていればよい。
【００２１】
他方のアングル材８５は、一方のアングル材８４の外側表面を被覆するようにして取り付けられている。他方のアングル材８５の長辺８５Ｂは、一方のアングル材８４の長辺（他方の辺８４Ｂ）よりも長いものが好適に用いられる。他方のアングル材８５は長辺８５Ｂ側からビス留め等により固定されている。このように他方のアングル材８５の側面側にはビス留め部分があらわれることになるが、一方のアングル材８４における水平材９２のビス留め部分の数より大幅に少ない数にすることができる。
このような２本のアングル材８４，８５の組み合わせにより、縦枠部材８２には図５に示すような隙間部分８６が形成されることになるが、この隙間部分８６は、高さ調整部６０を縦枠部材８２に連結させる際に、高さ調整部６０に取り付けられている遮蔽板６３の挿入部分として用いられる。
【００２２】
このように、２つのアングル材８４，８５を締結部材や接着等で一体となるように組み立て接合して断面形状がコの字形をなす縦枠部材８２が形成される。これによりルーバー板９０および水平材９２が取り付けられた縦枠部材８２を容易に組み立てることができると共に、縦枠部材８２としての剛性を高めると共に、水平材９２の端縁における取り付け部分を隠すことでルーバー付障子１００の外観を良好にさせることができるといった優れた効果を得ることができる。
【００２３】
ルーバー板９０は図６および図７に示すように、縦枠部材８２（一方のアングル材８４）への取り付け部分となる取付部９０Ａと、ルーバー板９０の下側範囲において室外側へ徐々に離反する離反部９０Ｂとを有するへ字状をなしている。本実施形態においては、取付部９０Ａと離反部９０Ｂとの屈曲角度（取付部９０Ａと離反部９０Ｂとにより形成される角度）を１５５°とした。取付部９０Ａと離反部９０Ｂとの境界部分の位置を水平材９２の下側面位置に位置合わせしているため、ルーバー板９０の取り付け強度を向上させることができる。
【００２４】
また、図７からも明らかなように、上下に隣接するルーバー板９０，９０，９０・・・は、上側のルーバー板９０の離反部９０Ｂの下側端縁の高さ位置が、下側のルーバー板９０の取付部９０Ａの上側端縁の高さ位置よりも下方側位置となるように設けられている。このように上下に隣接するルーバー板９０どうしをルーバー板９０の高さ方向の一部を重複させることで、窓の支持枠５０に対するルーバー付障子１００の設置面を正面視した際に、上下のルーバー板９０，９０どうしの一部がルーバー付障子１００の奥行き方向に二重に配設されることになり、室外から室内への雨の侵入を確実に防止することができる。一方、室外から室内へ吹く風については、上下に隣接するルーバー板９０，９０の間にある通風部９３で通過可能であるのは明らかである。
【００２５】
下横枠体７０は、図８および図９に示すように、縦枠部材８２の下側端部に取り付けられている。本実施形態における下横枠体７０は、アングル材により形成されていて、一方の辺７０Ａを縦枠部材８２の室内側部分（一方のアングル材８４の短辺８４Ａ）に取り付け、ルーバー付障子１００の底面となる他方の辺７０Ｂには、支持枠５０のガイドレールを挟持させ、ルーバー付障子１００のスライド移動をガイドするためのガイド部７２が取り付けられている。図９からも明らかなように、本実施形態における下横枠体７０にはルーバー板も遮蔽板も取り付けられておらず、縦枠部材８２に取り付けられた最下部に位置するルーバー板９０の離反部９０Ｂの下端縁と他方の辺７０Ｂの上面との間には隙間７３が形成されている。また、下横枠体７０と縦枠部材８２との交差部の外側面には合成樹脂製の保護カバー７１が装着されている。
【００２６】
以上に説明した高さ調整部６０を、下横枠体７０が取り付けられている縦枠部材８２に連結させれば、図２，図３に示すルーバー付障子１００を得ることができる。高さ調整部６０と縦枠部材８２との連結を行う際には、高さ調整部６０のチャンネル材６４への縦枠部材８２の挿入量を調整してルーバー付障子１００の高さ寸法を決定した後、チャンネル材６４に穿設されている調整用長孔６５の所要位置にネジ等の締結具Ｎを差し込み、縦枠部材８２を貫通させるようにして締結することでネジ頭とチャンネル材６４との摩擦力により高さ調整部６０を縦枠部材８２に固定することができる。
もし、ルーバー付障子１００の高さ寸法を調整する必要がある場合には、締結部材Ｎを緩めてネジ頭をチャンネル材６４の表面から離反させ、高さ調整部６０を調整用長孔６５に沿ってスライド移動させた後、再度締結具Ｎを締め付けすればよい。
【００２７】
以上、本考案にかかるルーバー付障子１００について実施形態に基づき詳細に説明をしたが、本考案におけるルーバー付障子１００は以上で説明した実施形態に限定されるものではなく、本考案の要旨を変更しない範囲において適宜変更がなされたとしても本考案の技術的範囲に属するのはもちろんである。例えば、以上の実施形態においては、ルーバー付障子１００の上横枠体を高さ調整部６０とした実施形態について説明しているが、高さ調整部６０の構成と下横枠体７０の構成と入れ替えることにより、下横枠体７０に高さ調整部としての構成を実現させることも可能である。
【００２８】
また、以上の実施形態においては、アングル材やチャンネル材について具体的な材料を明示していないものがあるが、強度や重量の観点からアルミニウム合金製のアングル材やチャンネル材を用いることが好適である。アルミニウム合金製以外にはいわゆるエンジニアリングプラスチックと称される合成樹脂により形成されたアングル材やチャンネル材を用いることも可能である。
【符号の説明】
【００２９】
１０  室外側障子
２０  室内側障子
３０  網戸
５０  支持枠
６０  高さ調整部（上横枠体）
６１，７１  保護カバー
６２  チャンネル接続部材（上側横枠部材）
６２Ａ，７２  ガイド部
６３  遮蔽板
６４  チャンネル材（上側縦枠部材）
６５  調整用長孔
７０  下横枠体
７３  隙間
８０  縦枠体
８２  縦枠部材
８４，８５  アングル材
８６  隙間部分
９０  ルーバー板
９０Ａ  取付部
９０Ｂ  離反部
９２  水平材
９３  通風部
１００  ルーバー付障子
Ｎ  締結具
【図１】
0003171388.tif 000003
【図２】
0003171388.tif 000004
【図３】
0003171388.tif 000005
【図４】
0003171388.tif 000006
【図５】
0003171388.tif 000007
【図６】
0003171388.tif 000008
【図７】
0003171388.tif 000009
【図８】
0003171388.tif 000010
【図９】
0003171388.tif 000011